(57)【要約】【課題】おやすみタイマといった一定時間に音量を低下させたり画面を暗くしたりするのではなく，視聴者が睡眠状態に入ったかどうかという就寝の実体にあわせて音量や明るさと言った映像表示装置の出力を段階的に低下させることで，視聴者を穏やかに熟睡状態に導入することが出来る映像表示装置を提供すること。【解決手段】当該映像表示装置周辺の室内の画像を撮像するデジタルカメラの撮像画像中における人間の目の画像を抽出し，該目が当該映像表示装置のモニタを見ているか否かを判断し，その判断結果に応じて前記背面照明手段，音声出力手段あるいは当該映像表示装置の電源のいずれかあるいは複数を制御する。【選択図】図２
2011087276.tif 000002
【特許請求の範囲】
【請求項１】
映像信号に基づく映像を表示する映像表示部をその背面から照明する複数の背面照明手段及び上記映像に関連する音声を出力する音声出力手段を備えた映像表示装置であって，
当該映像表示装置周辺の室内の画像を撮像するデジタルカメラと，
前記デジタルカメラの撮像画像中における人間の目の画像を抽出し，該目が当該映像表示装置のモニタを見ているか否かを判断する視聴状態判断手段とを備え，
前記視聴状態判断手段による判断結果に応じて前記背面照明手段，音声出力手段あるいは当該映像表示装置の電源のいずれかあるいは複数を制御する制御手段を備えてなることを特徴とする映像表示装置。
【請求項２】
録画手段を備え，あるいは外付けの録画手段に接続された映像表示装置であって，
前記視聴状態判断手段は，前記デジタルカメラが撮像した目が前記モニタを見ていないと判断したときに，前記録画手段を制御して現在表示中の映像を録画するものである請求項１に記載の映像表示装置。
【請求項３】
前記視聴状態判断手段は，前記撮像された目が閉じていると判断した場合に，該目が前記モニタを見ていないと判断するものである請求項１あるいは２のいずれかに記載の映像表示装置。
【請求項４】
前記視聴状態判断手段は，撮像された室内の画像に複数の人物が存在する場合に，いずれの人物もモニタを見ていない場合に前記目が前記モニタを見ていないと判断するものである請求項１〜３のいずれかに記載の映像表示装置。
【請求項５】
当該映像表示装置の省電力モードを設定する手段を備え，これによって省電力モードに設定されている場合に，前記視聴状態判断手段による判断結果に応じて前記背面照明手段，音声出力手段あるいは当該映像表示装置の電源のいずれかあるいは複数を制御して省電力モードを実現するものである請求項１〜４のいずれかに記載の映像表示装置。
【請求項６】
映像信号に基づく映像を表示する映像表示部をその背面から照明する複数の背面照明手段及び上記映像に関連する音声を出力する音声出力手段を備えた映像表示装置であって，
当該映像表示装置周辺の室内の画像を撮像するデジタルカメラと，
前記デジタルカメラの撮像画像中における特定の顔の画像を記憶し，前記デジタルカメラの撮像画像中に前記記憶された特定の顔が認識されたか否かを判断する顔認識手段と，
前記デジタルカメラの信号系及び駆動系以外の回路について停止させた待機モードを設定する待機モード設定手段と，
当該映像表示装置の駆動系回路への電源供給を停止すると共に信号系回路に電源を供給しておく高速起動モードを設定する高速起動モード設定手段とを備えており，
前記待機モード設定手段によって待機モードに設定されている場合に，前記顔認識手段が，前記デジタルカメラの撮像画像中に前記記憶された特定の顔があることを認識した場合に，前記待機モードから前記高速起動モードにモードを変更する映像表示装置。
【発明の詳細な説明】
【技術分野】
【０００１】
本発明は，入力された映像信号に基づく映像を表示する映像表示部をその背面から照明する背面照明手段などを備えた映像表示装置に関し，特に，省エネ機能に優れた映像表示装置に関するものである。
【背景技術】
【０００２】
液晶テレビ装置などの映像表示装置は，例えば映像表示部（液晶表示パネル）をその背面から照明するバックライト（背面照明手段）を備え，このバックライトとしては，一般的に，赤，緑及び青の各波長の光の合成光を発光する蛍光管（冷陰極管）が採用される。
このようなバックライトは近年の省エネ傾向の中，消費電力の削減が重要テーマとなっている。
このような省電力機能が搭載された液晶テレビでは，バックライト光源をコントロールし，消費電力を節減する機能を持つものがある。このような節電型の液晶テレビには，おやすみタイマの機能を備え，設定時間になるとバックライトを切ったり，電源を落としたりして，就寝時間中の節電を図ったものが特許文献１に開示されている。
この特許文献１に開示のタイマ付き表示装置では，タイマ設定後から，タイマ時間に応じて，段階的に画面の明るさ，音量（音質），ファンの回転数を変化させて，必要でない時点では，画面はもっとも暗くして，音声もほとんど出力されていない状態にし，表示装置自体の発する騒音がユーザの妨げにならないように設定するなど，表示装置の画面，音声，ファンなどの各種設定が経時的に自動変更するように設定するものである。
このようなタイマ付き表示装置によれば，ユーザが設定した就寝時間になると液晶画面の明るさや音量，あるいはファンの回転数が自動変更されるように設定されるので，テレビの音や明るさなどがユーザの就寝を妨げず，ユーザを快適な睡眠に導くことが出来る。
また，前記のように近年，省エネが重要視されており，液晶テレビにおいても消費電力の削減が重要テーマとなっている。
省電力機能が搭載された液晶テレビでは，バックライト光源をコントロールし消費電力を削減する機能があったり，現在の消費電力量を表示したり（電力削減量を表す）エコメーターをテレビ画面に表示するものもある。例えば，特許文献２のように人感センサによって自動的に電源をオフするものや，特許文献３のように顔認識及び瞼開閉検出機能により，電源をオフするものもある。
また，使用性を向上させる為，電源オフ時において，液晶テレビが電源オンにてすぐに見ることが出来るような高速起動モード（起動時間を短縮できるように信号系回路には電源を供給しておくモード）がある。それに対しては，人感センサにより，動くものに反応させ通常の待機状態から高速起動モードに切り替えることで，省エネ機能としているものがある。
【先行技術文献】
【特許文献】
【０００３】
【特許文献１】特開２００７-１３５０１８号公報
【特許文献２】特開２００７−９６４６２号公報
【特許文献３】特開２０１０−１１０１５号公報
【発明の概要】
【発明が解決しようとする課題】
【０００４】
しかしながら実際には，設定された就寝時間とユーザが睡眠に入る時間とがいつも一致するとは限らず，セットされたタイマが役立つとは限らない。
それどころか，実生活では，テレビを見ながらいつの間にか睡眠に導入されるといったことが多く，そのようなときには，固定の設定時間で動作するおやすみタイマは役に立たない。そればかりか，テレビを見ているうちに寝入ってしまったような場合に，テレビの音や明るさが明るすぎて途中で睡眠が妨げられ，その後，なかなか寝付かれないと言った不快なことは，多くのユーザの経験するところである。
【０００５】
従って，本発明は上記事情に鑑みてなされたものであり，その第１の目的とするところは，おやすみタイマといった一定時間に音量を低下させたり画面を暗くしたりするのではなく，視聴者が睡眠状態に入ったかどうかというユーザの実体にあわせて音量や明るさと言った映像表示装置の出力を段階的に変化させることで，視聴者を穏やかに熟睡状態に導入し，あるいは覚睡させることが出来る映像表示装置を提供することである。
【０００６】
さらに，前記特許文献２のように人感センサによって自動的に電源をオフするものや，特許文献３（特開２０１０−１１０１５号公報）のように顔認識及び瞼開閉検出機能により，電源をオフするものの場合，人感センサが動くものに反応してしまう為，ペット等の動くものすべてに対して反応し，誤反応によっても高速起動モードになり，電力を無駄に消費してしまう場合が生じる。
従って本発明の第２の目的は，特定の顔（視聴者自身の顔であってペットなどには反応しない）を記憶しておき，カメラによる顔認識を用いて上記特定の顔が起きている状態になったと判断されたときに，高速起動モードに移行させることで，小さい子供やペット等には反応しなくなり，非視聴状態(電源オフ)においても現状より省エネとなる機能をもつ映像表示装置を提供することである。
【課題を解決するための手段】
【０００７】
上記第１の目的を達成するために本発明は，映像信号に基づく映像を表示する映像表示部をその背面から照明する複数の背面照明手段及び上記映像に関連する音声を出力する音声出力手段を備えた映像表示装置であって，当該映像表示装置周辺の室内の画像を撮像するデジタルカメラと，前記デジタルカメラの撮像画像中における人間の目の画像を抽出し，該目が当該映像表示装置のモニタを見ているか否かを判断する視聴状態判断手段とを備え，前記視聴状態判断手段による判断結果に応じて前記背面照明手段，音声出力手段あるいは当該映像表示装置の電源のいずれかあるいは複数を制御する制御手段を備えてなることを特徴とする映像表示装置である。
このように本発明では，おやすみタイマといった一定時間に音量を低下させたり画面を暗くしたりするのではなく，視聴者の目の状態を認識して映像表示装置の音量などを制御するので，視聴者が睡眠状態に入ったかどうかという就寝の実体にあわせて音量や明るさと言った映像表示装置の出力を段階的に制御することができ，視聴者を穏やかに熟睡状態あるいは覚睡状態に導入することが出来る。
この映像表示装置で，録画手段を備えている場合，あるいは外付けの録画手段に接続されていれば，前記デジタルカメラが撮像した目が前記モニタを見ていないと判断されたときに，上記録画手段を制御して現在表示中の映像を録画することもでき，視聴中に眠ってしまったような場合でも，番組などを見落とすと言った不都合がない。
映像表示装置のモニタを見ているか否かを判断する手法は各種ありうるが，例えば，前記撮像された目が閉じていると判断した場合に，該目が前記モニタを見ていないと判断することもできる。
映像表示装置のモニタを見ているか否かを判断する手法として，前記撮像された室内の画像に複数の人物が存在する場合に，いずれの人物もモニタを見ていない場合に前記目が前記モニタを見ていないと判断することも可能である。１人でも見ていれば，まだ視聴者が寝ているとはいえない状態だからである。
当該映像表示装置の省電力モードを設定する手段を備え，これによって省電力モードに設定されている場合に，前記視聴状態判断手段による判断結果に応じて前記背面照明手段，音声出力手段あるいは当該映像表示装置の電源のいずれかあるいは複数を制御して省電力モードを実現するものであれば，省電力モードの趣旨に沿った制御をすることができる。
また，前記第２の目的を達成することの出来る映像表示装置は，映像信号に基づく映像を表示する映像表示部をその背面から照明する複数の背面照明手段及び上記映像に関連する音声を出力する音声出力手段を備えた映像表示装置であって，当該映像表示装置周辺の室内の画像を撮像するデジタルカメラと，前記デジタルカメラの撮像画像中における特定の顔の画像を記憶し，前記デジタルカメラの撮像画像中に前記記憶された特定の顔が認識されたか否かを判断する顔認識手段と，前記デジタルカメラの信号系及び駆動系以外の回路について停止させた待機モードを設定する待機モード設定手段と，当該映像表示装置の駆動系回路への電源供給を停止すると共に信号系回路に電源を供給しておく高速起動モードを設定する高速起動モード設定手段とを備えており，
前記待機モード設定手段によって待機モードに設定されている場合に，前記顔認識手段が，前記デジタルカメラの撮像画像中に前記記憶された特定の顔があることを認識した場合に，前記待機モードから前記高速起動モードにモードを変更する映像表示装置として構成される。
【発明の効果】
【０００８】
本発明によれば，おやすみタイマといった一定時間に音量を低下させたり画面を暗くしたりするのではなく，視聴者の目の状態を認識して映像表示装置の音量などを制御するので，視聴者が睡眠状態に入ったかどうかという就寝の実体にあわせて音量や明るさと言った映像表示装置の出力を段階的に制御することができ，視聴者を穏やかに熟睡状態あるいは覚睡状態に導入することが出来る。
【図面の簡単な説明】
【０００９】
【図１】本発明の実施形態に係る液晶表示装置の一例であるテレビジョン受像機Ｘの概略構成を表すブロック図。
【図２】テレビジョン受像機Ｘにおけるバックライトや音量の制御手順を表すフローチャート。
【図３】テレビジョン受像機Ｘにおけるバックライトや音量の制御手順を表すフローチャート。
【図４】テレビジョン受像機Ｘにおける起動モードの制御手順を表すフローチャート。
【発明を実施するための形態】
【００１０】
以下添付図面を参照しながら，本発明の実施の形態について説明し，本発明の理解に供する。尚，以下の実施の形態は，本発明を具体化した一例であって，本発明の技術的範囲を限定する性格のものではない。
【００１１】
まず，図１に示すブロック図を用いて，本発明の実施形態に係る映像表示装置の一例である液晶型テレビジョン受像機Ｘ（以下，テレビジョン受像機Ｘという）の構成について説明する。
テレビジョン受像機Ｘは，アンテナ等により受信されたテレビジョン放送信号から抽出される放送番組に関する映像信号を，所定の信号伝送経路１８を通じて液晶パネル２１に入力させ，その映像信号に基づく映像を液晶パネル２１により表示するものである。その液晶パネル２１の背面には，液晶パネル２１を背面から照明する背面照明手段（バックライト）である蛍光管１２（図中，ＣＦＬと表す）及びＬＥＤ１３が設けられている。
図１に示すように，テレビジョン受像機Ｘは，複数のチューナ１ａ，１ｂ，１ｃ，外部入力部２，映像切替回路３，映像処理回路４，タイマ回路６，リモコン７，制御回路８，リモコンインターフェース（Ｉ／Ｆ）回路９，液晶パネル２１，バックライトを構成する前記蛍光管１２及びＬＥＤ１３，インバータ回路１４，ＬＥＤ駆動回路１５，カラーセンサ１６，デジタルカメラ１７及びこのデジタルカメラからの信号によって人の顔を認識する顔認識回路５，音声切替回路１０，音声処理回路１１，アンプ２２，及びスピーカ２３等を具備して構成されている。
【００１２】
前記チューナ１ａ，１ｂ，１ｃは，各々地上波放送信号，ＢＳ衛星放送信号及びＣＡＴＶ放送信号の各々が入力され，入力された各放送信号から前記制御回路８により指示される放送チャンネルの信号を抽出（選局）するとともに，その抽出信号の検波によって映像信号及び音声信号を取り出し，その映像信号及び音声信号の各々を前記映像切替回路３及び前記音声切替回路１０各々へ伝送するものである。
また，前記外部入力部２は，外部からコンポジット方式或いはセパレート方式の映像信号及び音声信号等である外部入力映像信号及び外部入力音声信号を入力し，それらを前記映像切替回路３及び前記音声切替回路１０各々へ伝送するインターフェースである。
前記映像切替回路３は，前記チューナ１ａ，１ｂ，１ｃ各々からの映像信号及び前記外部入力部２からの映像信号を入力し，それらの映像信号のうちの任意の１つの映像信号を前記制御回路８からの指示に従って選択して出力するものである。
【００１３】
前記映像処理回路４は，前記映像切替回路３から出力された映像信号に対して各種信号処理を行うものである。例えば，映像信号から水平及び垂直同期信号の分離，その同期信号に位相同期したクロック信号の生成，映像信号からの輝度信号及び色信号の分離，所定の画質改善処理等を行い，処理後の映像信号を前記液晶パネル２１に出力する。
前記顔認識回路５は，前記デジタルカメラ１７から得られる画像を解析して，その中に含まれる人の顔を認識すると共に，認識された顔から目の映像を抽出し，目が開かれているか，閉じられているかと言った人の就寝に関する情報を検知して，その検知結果（検知信号）を制御回路８へ伝送する回路である。
なお，前記デジタルカメラ１７は，現在はきわめて高度に普及しており今更改めて説明する必要はないが，この発明における設置場所は，前記テレビジョン受像機Ｘの視聴者と対向する部分，例えばモニタ画面の上部や下部といったモニタ画面の近くであってモニタ画面から幾分離れた場所に設定することができる。ただし，視聴者の顔を撮像するという機能から，要するに認識したいユーザの居る位置に近い撮影に適した場所が適切な場所であろうと思われる。例えば，後記するように起床時にテレビジョン受像機Ｘを制御する場合には，ユーザの寝ている顔の画像が必要であるので，ベッドの近くにテレビがある場合はテレビに設けておくことや，テレビがベッドから離れた位置にある場合には，デジタルカメラ１７のみをベッドの近くにセットして配線（無線を含む）でテレビと接続するようなことも必要であろう。
さらに，前記顔認識回路５についてもすでに周知の回路であり，例えば，特開2009-118083に記載のデジタルカメラは，光学系により結像した被写体像を撮影しデジタル画像に変換して出力する撮影手段と，上記被写体像の結像位置を調節する焦点調節手段と，撮影待機状態において上記撮影手段が出力する連続撮影画像中から所定の対象を検出する対象検出手段と，上記対象検出手段で検出した対象を含む部分画像領域毎にその部分画像領域の合焦度合いを表す合焦評価値を算出する合焦評価値算出手段と，上記合焦評価値算出手段で算出された合焦評価値を示す記号を生成する記号生成手段と，上記撮影手段で撮影された画像の上記部分画像領域の各々に，各部分画像領域について算出され上記記号生成手段で生成された合焦評価値を表す上記記号を合成する合成手段と，上記合成手段で上記記号が合成された撮影画像を表示する表示手段と，を有することを特徴とするデジタルカメラとして構成されている。ここに上記所定の対象は人の顔であり，所定の対象を検出する対象検出手段は，デジタルカメラでの撮像画像から顔を認識する技術を含むものである。
また，特開２００９‐１０５８１６に記載のカメラ，および画像記録プログラムでは，被写体像を撮像して画像データを取得する撮像手段と，前記撮像手段による連続撮像によって取得された複数の画像データの中から，被写体が目を開いている画像データを特定する特定手段と，前記特定手段で特定した画像データを不揮発性の記憶媒体に記録する記録手段とを備え，前記撮像手段は，前記特定手段が被写体が目を開いている画像データを特定したら，連続撮像を終了することを特徴とするカメラが開示されている。ここに被写体が目を開いている画像データを特定する特定手段は，デジタルカメラで撮像された人物の顔中の目を抽出し，その目が開いたものか否かを判断するものである。
さらに，特開２００８‐２５８９６０に記載のデジタルカメラは，先の撮影から次の撮影までの期間に，前記先の撮影で取得した保存用画像に対し顔認識処理を施し，その顔認識処理の結果に基づき前記保存用画像が失敗画像であるか否かを判定する判定手段を備えたことを特徴とするデジタルカメラであり，顔の認識処理が周知の技術であることを示している。
また，特開２００８‐２５６８７８に開示されたデジタルカメラ，及びそのセルフタイマー制御方法，セルフタイマー制御プログラムには，セルフタイマーを備えたデジタルカメラにおいて，被写体を撮像する撮像手段と，この撮像手段により撮像された被写体画像に対して所定の画像認識を行う画像認識手段と，セルフタイマーによる残り時間のカウントダウン動作中に，前記画像認識手段による画像認識結果に応答して前記カウントダウン動作を停止させるセルフタイマー制御手段と
を備えたことを特徴とするデジタルカメラが開示されており，ここでの被写体画像は，人物の顔が対象である。従って，ここでも顔認識技術が現在周知のものであることが理解される。
特開２００８‐２２８０５３に記載されたカメラの請求項２によると，被写体を撮影して画像を取得する取得手段と，前記画像を撮影者に向けて表示する第１表示器と，前記画像を前記被写体に向けて表示する第２表示器と，前記取得手段で取得した画像に人物が含まれているか否かを判定する判定手段と，前記判定手段により前記画像に人物が含まれていると判定された画像を前記第１および第２表示器に表示し，前記判定手段により前記画像に人物が含まれていないと判定された画像を前記第１表示器だけに表示する表示制御手段とを備えることを特徴とするカメラが記載されその請求項３では，請求項１または２に記載のカメラにおいて，前記取得した画像に対して顔認識処理を行なって顔を認識する顔認識手段を備え，
前記判定手段は，前記顔認識手段による顔認識処理に基づいて，前記取得手段で取得した画像に人物が含まれているか否かを判定することを特徴とするカメラ。
が開示されている。従って，この公報も人物の顔認識技術を備えたものである。
特開２００８‐０６１１５７に記載のカメラによれば，被写体像を撮影する撮像素子と，前記撮像素子の出力に基づいて撮影画面内の顔領域を検出する顔検出部と，前記撮影画面内に複数の候補エリアを有するとともに，各々の前記候補エリアにおいて撮影レンズを通過した光束に基づく一対の像の相対間隔からデフォーカス量を演算する焦点検出部と，前記顔検出部の出力に基づいて前記候補エリアのうちから焦点検出エリアを指定するとともに，前記焦点検出エリアの前記デフォーカス量に基づいて前記撮影レンズの合焦動作を行う第１合焦制御部と，前記撮像素子の出力に基づいて前記顔領域における焦点評価値を演算するとともに，該焦点評価値が極大値となるレンズ位置を探索して合焦動作を行う第２合焦制御部と，前記第１合焦制御部および前記第２合焦制御部の少なくとも一方に合焦動作を実行させる制御部と，を備えることを特徴とするカメラが開示されており，デジタルカメラにおける顔検出技術が周知であることを物語る。
その他，特開２００７‐３１０８１３に記載の画像検索装置およびカメラについても顔認識技術が開示されている。
このようにデジタルカメラで撮像された画像から人物の顔を認識したり，その顔の中の目の状態を認識する技術は現在において周知であり，本発明においても，このような周知な技術を採用するものであるが，このような周知な技術については，ここでは特に説明する必要はないので，詳細な説明を省略する。
【００１４】
前記制御回路８は，演算手段であるＭＰＵ８ａ，そのＭＰＵ８ａによって実行される制御プログラムが予め格納される記憶手段であるＲＯＭ８ｂ（ＥＰＲＯＭ），前記ＭＰＵ８ｂが実行する処理において読み書き（参照又は書き込み）される設定情報を記憶するＥＥＰＲＯＭ８ｃ等を備え，当該テレビジョン受像機Ｘ全体を制御するものであり，本発明における制御部の一例である。
前記リモコンインターフェース回路９は，当該テレビジョン受像機Ｘの操作用のリモコン７（リモート操作器）から，赤外線伝送等の無線伝送によって前記リモコン７に対する操作入力情報を取得し，その操作入力情報を前記制御回路８に出力するものである。
リモコン７には，種々の設定スイッチが設けられている。例えば，省電力モードを設定するスイッチ（不図示）はその一例であり，該リモコン７及びテレビジョン受像機Ｘの本体にも設けられている。
例えば，チャンネル選択が行われる場合，前記リモコン７のチャンネル選択キーに対する操作入力の情報が，前記リモコンインターフェース回路９を通じて前記制御回路８に入力され，その操作入力情報に従って，前記制御回路８により，前記チューナ１ａ，１ｂ，１ｃのいずれかに対して選局するチャンネルが指定されるとともに，そのチャンネルの映像が前記液晶パネル２１に表示されるように前記映像切替回路３が制御される。
同様に，音量調節が行われる場合，前記リモコン７の音量ボリューム調節キー（音量のアップキーとダウンキー）に対する操作入力情報に従って，前記制御回路８から前記アンプ２２に対して出力音量の調節指令が出力され，その指令に従って前記アンプ２２により前記スピーカ２３に対する出力音量が調節される。
【００１５】
前記音声切替回路１０は，前記チューナ１ａ，１ｂ，１ｃ各々からの音声信号及び前記外部入力部２からの音声信号が入力され，それらの音声信号のうちの任意の１つの音声信号を，前記制御回路８からの指示に従って前記音声処理回路１１に出力するものである。
前記音声処理回路１１は，前記制御回路８からの指示に従って，前記音声切替回路１０から出力された音声信号に対して各種信号処理を行うものである。例えば，前記スピーカ２３の特性に合わせたイコライズ処理や，サラウンド処理等を行う。
前記アンプ２２は，前記音声処理回路１１による処理後の音声信号を，前記制御回路８からの指示に従って増幅或いは減衰させる処理を行い，前記アンプ２３に出力するものである。従って，上記音声処理回路１１が，本発明における音声出力手段の一例である。
また，前記液晶パネル２１は，映像処理回路４から出力される映像信号に基づく映像を表示するものである。
【００１６】
液晶パネル２１のバックライト（背面照明手段）を構成する蛍光管１２は，赤，緑及び青の各波長の光の合成光を発光するものであり，複数の蛍光管が配列されて構成されている。また，同じくバックライトを構成するＬＥＤ１３は，赤色波長の光を発光する赤色ＬＥＤであり，複数の蛍光管１２の間等に複数配列されて構成されている。
蛍光管１２は，前記インバータ回路１４（図中，ＩＮＶ回路と示す）により駆動され，インバータ回路１４は，制御回路８から出力される制御指令に従って，蛍光管１２への供給電力を調節する。具体的には，制御回路８からインバータ回路１４に対して矩形波状のパルス信号が出力され，そのパルス信号のデューティー比に応じたデューティー比を有するパルス状の駆動電圧が蛍光管１２に供給される。そして，制御回路８がインバータ回路１４に出力するパルス信号のデューティー比を調節することにより，ＰＷＭ（Pulse Width Modulation：パルス幅階調）調光による蛍光管１２の明るさ調節が行われる。これにより，蛍光管１２の点灯，消灯及び明るさの制御が行われる。
一方，ＬＥＤ１３（赤色ＬＥＤ）は，前記ＬＥＤ駆動回路１５により駆動され，ＬＥＤ駆動回路１５が，制御回路８から出力される制御指令に従って，ＬＥＤ１３に対する供給電流を調節することにより，電流調光方式によるＬＥＤ１３の明るさ調節が行われる。これにより，ＬＥＤ１３の点灯，消灯及び明るさの制御が行われる。
図示しないが，当該テレビジョン受像機Ｘそのものの電源についても前記制御回路８によって制御される。
【００１７】
次に，図２に示すフローチャートを参照しつつ，制御回路８のＭＰＵ８ａが所定の制御プログラムを実行することにより実現されるバックライトや音量の制御，あるいは録画処理など手順について説明する。なお，図２に示す処理は，当該テレビジョン受像機Ｘが常態で起動（電源ＯＮ）された場合や，タイマー起動設定等により予め設定された時刻に当該テレビジョン受像機Ｘが自動起動した場合等に開始されるものとする。また，以下に示すＳ１，Ｓ２，…は，処理手順（ステップ）の識別符号を表す。
まず，制御回路８がインバータ回路１４及びＬＥＤ駆動回路１５を制御することにより，蛍光管１２及びＬＥＤ１３が点灯され（Ｓ１），さらに，蛍光管１２及びＬＥＤ１３の各々について，その出力（明るさ）調節が行われる（Ｓ２，Ｓ３）。
続いて制御回路８は，前記したリモコン７やテレビジョン受像機Ｘの本体に設けられた省電力モードボタンが操作されることによって，本体が省電力モードに設定されているか否かを検知する（Ｓ４）。
【００１８】
省電力モードに設定されていない場合（Ｓ４での判断がＮＯ）には，通常の表示モードが維持される（Ｓ５）。
省電力モードに設定されていると判断された場合（Ｓ４での判断がＹＥＳ）には，顔認識回路５からの認識情報を取り込む。前記顔認識回路５には前記デジタルカメラ１７からの撮像画像が入力されており，前記した技術を用いて，デジタルカメラの撮像画像中における人間の顔を認識する周知の処理が行われており，デジタルカメラ１７からの撮像画像中に顔が含まれると認識された場合（Ｓ６においてＹＥＳ）には，続いて，顔の画像の中から目の画像を抽出し，抽出された目が当該液晶表示装置のモニタを見ているか否かを判断する（Ｓ７）。
人間の眼の視線の方向は前記目の抽出に基づく周知の方法で検知される。たとえば，従来の技術としては，抽出された目の中央あるいはその近傍に黒目（瞳）がきている場合には，目が正面を向いており，モニタを見ているとみなしたり，まぶたが閉じられていて眼球（瞳）が見えないような場合には，眠った状態にあってモニタを見ていないと判断する。もちろん判断手法は，これに限定されるものではない。
従って，上記顔認識回路５が本発明における視聴状態判断手段の一例である。
このようにして，デジタルカメラ１７で撮像されたテレビジョン受像機Ｘの近傍に人物はいるが，その人物がモニタを見ていないと判断された場合（Ｓ７でＮＯ）には，制御回路８は，図外の録画手段あるいは外付けの録画手段に録画スタート信号を送信し，現在視聴中の映像の録画を開始する（Ｓ８）。
この場合，人物は居て顔がモニタの方を向いているのに，目がモニタを向いていないので，目を閉じているか他の方向を向いている状態である。このようなケースでは，睡眠中である可能性が高いので，その映像を録画して眠ってしまったことによる番組の見逃しを防止する。もっともこの状態では映像は切られているわけではなく，省電力状態ではない。
【００１９】
次に制御回路８は，録画スタートから予め設定された時間ｔ１が経過したかどうかを判断する（Ｓ９）。時間の経過は，制御回路８内の所定のタイマを参照することで行われる。ｔ１を経過していない場合（Ｓ９でＮＯ）には，再度デジタルカメラ１７からの映像を取り込んで人物がモニタを見ているかどうか判断する（Ｓ１０）。モニタを見ていないと判断された場合には，処理をＳ９に戻すという処理を繰り返して，ｔ１の経過を待つ。
ｔ１を経過したと判断された場合（Ｓ９でＹＥＳ）には，制御部８は，インバータ回路１４及びＬＥＤ駆動回路１５に制御信号を送って，蛍光管１２及びＬＥＤ１３の光量を所定量減少させると共に，音声処理回路１１にも信号を送って音量を所定量減少させる（Ｓ１１）。音量と光量の制御は，上記のように一緒に行っても良いが，いずれかを先に行い，残りを遅れて制御することでもよい。
また音量や光量を徐々に減少させていって眠りを阻害しないようにすることも，好ましい制御態様である。
【００２０】
続いて制御回路８は，さらに所定時間ｔ２が経過したか否かを判断する（Ｓ１２）。
これに続く処理Ｓ１３は前記Ｓ１０と同様であり，デジタルカメラ１７で検出された目がモニタを見ているか否かを判断しつつ，時間ｔ２の経過を待つ。
上記のようにして検出された人物の目がモニタを見ていない時間が予め定めたｔ１+ｔ２を過ぎた場合には，その人物がすでに熟睡に入ったと判断しても良いので，光量を一段と落としたり，あるいは音量を減少させる。このような処理を繰り返して，最終的には電源をオフする（Ｓ１４）ことで睡眠を阻害することなく省エネを実現することができる。
この時電源は完全に落とすのではなく，前記録画手段については継続して録画状態を維持し，さらに所定時間を経過したときに録画も停止させるようにする。これにより，視聴者にとって番組などの見逃しといったこともなくなる。
録画内容は，テレビジョン受像機Ｘのハードディスクに記録してよいが，適宜の記録用のディスク，メモリあるいはカードに記録するようにすれば，翌朝それを持ち出して出勤途中の交通機関などで番組を楽しむことも可能となる。
また，録画が始まったときから，録画中であることをモニタに表示しておけば，見逃さなかったことを視聴者が自然に知ることができる。
また，録画はそれを取り消さない限り，例えば８時間とか１２時間といった十分な所定時間継続するようにしておくことで，見逃しの可能性は１００％なくなる。
【００２１】
前記，Ｓ６で顔認識ができない場合，Ｓ７，Ｓ１０あるいはＳ１３で，目がモニタを見ていると判断された場合には，処理はＳ４に戻って，省電力モードかどうかを判断する。
なお，上記の説明では，顔認識の数については触れていないが，認識する顔の数は１人でも複数人でもよいことは言うまでもない。このように，撮像された室内の画像に複数の人物が存在する場合には，いずれの人物の目もモニタを見ていない場合に前記目が前記モニタを見ていないと判断することが望ましい。
また，見逃し録画をする場合には，画質を幾分低下させる設定でもよく，このような設定をユーザに任意に選ばせるメニューを設けてもよいであろう。
【００２２】
上記したのは視聴者の就寝時，あるいは複数のユーザがいる場合の例であったが，この発明はデジタルカメラの撮像画像中における人間の目の画像を抽出し，該目が当該液晶表示装置のモニタを見ているか否かを判断すると共に，その判断結果に応じて前記背面照明手段，音声出力手段あるいは当該液晶表示装置の電源のいずれかあるいは複数を制御するものであるから，起床時にも適用可能である。
図３は，上記のような起床時における制御回路８の制御手順を示すフローチャートである。
この実施形態では，テレビジョン受像機Ｘを予め目覚ましモードに設定しておくことが望ましく，このフローは目覚ましモードの設定がされているものとして説明する。なお，目覚ましモードの設定時に，目覚まし時にユーザが起きていると判断された場合や起きていないと判断された場合の設定（どのチャンネルに合わせて，どのような音量や明るさでテレビを起動するかといった設定）を予め入力しておく。もちろん，番組だけでなく，ハードディスクに記憶された音楽や学習番組の録画されたものなども起動できる。
まず制御回路８は，予め設定された目覚まし設定時間になったかどうかを判断する（Ｓ２１）。判断は，装置に内蔵されている通常のタイマに基づいて行われる。
制御回路部８は，設定時間になっていると判断されると，前記就寝時と同様にデジタルカメラ１７からの画像を取り込んだ顔認識回路５からの判断結果を取り込む。ここでは，顔認識回路５は，顔の画像から目が開いているか，つまりユーザが起床しているかどうかを判断する（Ｓ２２）。
目が開いている場合（Ｓ２２でＹＥＳ）には，前記予め設定された起動条件でテレビジョン受像機Ｘを起動する（Ｓ３０）。
Ｓ２２で目が開いていないと判断された場合には，前記のように予め設定された映像でテレビジョン受像機Ｘの画面を立ち上げる（Ｓ２３）。たとえば音量を絞ったり明るさを低下させた画像などである。これによって，ユーザが急に起こされた時の不快感を回避できる。
その状態で制御回路８は，所定の時間Ｔ１が経過したかを判断する（Ｓ２４）と共に，経過した場合には，再度ユーザが起きているか（目が開いているか）を判断する（Ｓ２５）。
起きていればＳ３０と同じく，予め設定された映像に切り替える（Ｓ２９）。
起きていなければ，カウンタｎがｎ０に達したかを判断する。予め設定された所定値ｎ０は例えば２とか３とかいった値であり，音量などを徐々に上げていくステップの段数である。
カウンタの値がｎ０に達していない場合（Ｓ２６でＮＯ）には，設定時間間隔Ｔ２が経過したかを判断する（Ｓ２７）。経過していない場合には処理をＳ２５に戻して，時間の経過をまつ。経過したと判断された場合（Ｓ２７でＹＥＳ）には，音量やモニタ画面の明るさをアップさせた（Ｓ２８）後，処理をＳ２５に戻し，まだ目が開いていないかを確認する。こうして，何度か（カウンタの値が設定値ｎ０になるまで）開眼しているか否かの確認を行う都度音量を上げたり画面の明るさを上げたりする（Ｓ２８）と共に，カウンタの値が所定値ｎ０に達すると（Ｓ２６でＹＥＳ），Ｓ２９に進んで，予め設定された映像条件における映像を表示する（Ｓ３０）。
これによって，ユーザは突然起こされる不快さから開放される。前記ｎ０の値や，時間間隔Ｔ１，Ｔ２などはユーザが目覚まし設定時に任意に設定できるようにしても良い。
【００２３】
続いてデジタルカメラによる顔認識を用いて，高速起動モードに移行させることで，小さい子供やペット等には反応しなくなり，省エネとなる機能をもつ液晶テレビの実施形態について説明する。
かかる液晶テレビにおいても，映像信号に基づく映像を表示する映像表示部をその背面から照明する複数の背面照明手段及び上記映像に関連する音声を出力する音声出力手段を備えた液晶テレビである点で，前記実施形態と同様である。
また，液晶テレビ周辺の室内の画像を撮像するデジタルカメラ１７を備えた点についても前記実施形態と同様であるが，この実施形態では，前記デジタルカメラ１７の撮像画像中における特定の顔の画像を記憶する記憶部を備え，前記制御回路８が，デジタルカメラ１７の撮像画像中に前記記憶された特定の顔が認識されたか否かを判断する顔認識機能を備えた点で，前記実施形態とは異なる。
また，この実施形態では，デジタルカメラ１７の信号系及び駆動系以外の回路について停止させた待機モードを設定することができる。
さらにこの実施形態では，液晶テレビの駆動系回路への電源供給を停止すると共に信号系回路に電源を供給しておく高速起動モードを設定することができる。
このような機能は，制御回路８の一般的機能に基づくものである。
そして，この実施形態に係る液晶テレビにおける制御回路８は，待機モードに設定されている状態で，前記顔認識機能によって，デジタルカメラ１７の撮像画像中に前記記憶手段に記憶された例えばユーザのような特定の顔があることを認識した場合に，前記した待機モードから前記高速起動モードにモードを変更する。これによって，特定の顔にのみ反応し，ペットなどには反応することがないので，ペットなどの動きに反応して待機モードから高速起動モードに移ってしまうことによる無駄な消費出力の消耗がなくなる。
【００２４】
図４は，このような液晶テレビにおける制御回路８の制御手順を示すフローチャートである。
即ち，このプログラムがスタートすると，制御回路８は，デジタルカメラ１７の駆動回路，制御回路のみをＯＮ状態にする（Ｓ４１）。
その後，制御回路８は，現状が待機モードになっているかを判断する（Ｓ４２）。ここでは特に別の処理が介入しなければ，前記のようにデジタルカメラ１７の駆動回路，制御回路のみがＯＮ状態であるので，判断はＹｅｓとなる。もし何らかの別の駆動などが行われていれば，Ｎｏとなって，液晶テレビについて通常のモードによる駆動が行われる。
Ｓ４２において待機モードであると判断された場合には，次に制御回路８は，デジタルカメラ１７による撮像画像の分析を行い，画像内に，予め登録された特定の顔画像があるか否かを判断する（Ｓ４４）。
予め登録されている視聴者などの顔が認識された場合（Ｓ４４でＹｅｓ），その認識された顔が，モニタ画面を見ているか否かを判断する。この判断については，前記実施形態におけるＳ７における処理と同様であるので，ここでは説明を省略する。
ここで，認識された顔がモニタを見ていると判断された場合には，制御回路８は，液晶テレビを高速起動モードに変化させる。高速起動モードとは，映像テレビの駆動系回路への電源供給を停止すると共に信号系回路には電源を供給しておくことで，テレビの電源ボタンが押されると，速やかに映像表示状態に移行できるモードである。
なお，Ｓ４４で登録された顔が認識されなかった場合，及びＳ４５で登録された顔が認識されてもそればモニタの方を見ていないと判断された場合には，処理は最初のスタート状態に戻る。
このようにして，デジタルカメラによる特定の登録された顔が認識されたことを用いて，高速起動モードへの移行をオンするので，この実施形態では，小さい子供やペット等には反応しなくなり，非視聴状態(電源オフ)からの電源オンに対し，起動時間を短縮でき，使い勝手を保ちつつ，現状より省エネとなる機能をもつ液晶テレビを構成することができる。
また，デジタルカメラにより顔をテレビ内部に登録（記録）することで，例えば，ある特定の人Ａのみが高速起動モードに設定したい場合，その人Ａの顔を登録し，それ以外の人の顔を未登録とし，個別に人の顔で設定することができるので，高速起動モードに設定したい特定の人Ａにのみ反応し，高速起動モードへ移行させれば，より省エネ機能を持たせることが可能となる。
さらに，人感センサー・照度センサー、及びＲＧＢセンサー等を併用することにより，人を感知した場合や、テレビが設置されている場所（部屋等）が明るいと検知した場合、またはそれらセンサーの組み合せにより、人と明るさの両方を検知した場合にのみ，カメラによる顔認識を動作させれば，カメラについても消費電力を削減できる。
【産業上の利用可能性】
【００２５】
本発明は，テレビジョン受像機に利用可能である。
【符号の説明】
【００２６】
Ｘ…テレビジョン受像機
１ａ，１ｂ，１ｃ…チューナ
２…外部入力部
３…映像切替回路
４…映像処理回路
５…顔認識回路（視聴状態判断手段）
６…タイマ回路
７…リモコン
８…制御回路（制御部）
９…リモコンインターフェース回路
１０…音声切替回路
１１…音声処理回路
１２…蛍光管（バックライト）
１３…ＬＥＤ（バックライト）
１４…インバータ回路
１５…ＬＥＤ駆動回路
１６…カラーセンサ
１７…デジタルカメラ
１８…映像信号の信号伝送経路
２１…液晶パネル
Ｓ１，Ｓ２，・・…ステップ（処理手順）
【図１】
2011087276.tif 000003
【図２】
2011087276.tif 000004
【図３】
2011087276.tif 000005
【図４】
2011087276.tif 000006